(57)【要約】【課題】ワイヤレスマン・マシンインターフェース装置に用いる識別子の構成方法及び入力システム。【解決手段】（A）所定識別子を、予め未使用のワイヤレスマン・マシンインターフェース受信装置の不揮発性メモリに保存し、（B）ワイヤレスマン・マシンインターフェース出力装置が、最初に使用される時、該力装置は受信装置に所定識別子を含むデータパッケージを出力し、（C）受信装置は、該データパッケージを受信する。（D）コンピュータは（C）の受信装置が正常に受信しているかを検出して、プログラムコードを実行して、受信装置のメモリのデータ数値を所定識別子と比較して、マン・マシンインターフェース装置が正常であるという情報を出力する。【選択図】図４
2005165675.tif 000002
【特許請求の範囲】
【請求項１】
ワイヤレスマン・マシンインターフェース装置に用いられる識別子の構成方法であって、ワイヤレスマン・マシンインターフェース出力装置及びワイヤレスマン・マシンインターフェース受信装置により構成されるワイヤレスマン・マシンインターフェース装置を適用し、
前記ワイヤレスマン・マシンインターフェース受信装置は、コンピュータに電気的に接続され、最初に、前記ワイヤレスマン・マシンインターフェース装置を前記コンピュータに装着するのに応用され、
（A）所定識別子を、予め、少なくとも一つの所定識別子を保存する不揮発性メモリを備える未使用の前記ワイヤレスマン・マシンインターフェース受信装置に保存する工程と、
（B）前記ワイヤレスマン・マシンインターフェース出力装置が最初に装着使用される時、前記ワイヤレスマン・マシンインターフェース出力装置は、前記ワイヤレスマン・マシンインターフェース受信装置に、前記ワイヤレスマン・マシンインターフェース出力装置のマイクロコントローラから自動的に生成される、少なくとも所定識別子を含むデータパッケージを出力する工程と、
（C）前記ワイヤレスマン・マシンインターフェース受信装置は、前記工程（B）のデータパッケージを受信する工程と、
（D）前記コンピュータはプログラムコードを実行して、前記工程（C）の前記ワイヤレスマン・マシンインターフェース受信装置が正常に受信しているかを検出し、前記工程（C）で正常に受信していることが検出される状況下で、前記コンピュータはプログラムコードを実行して、前記ワイヤレスマン・マシンインターフェース受信装置のメモリを読み取り、読み取ったデータ数値が前記所定識別子と相同の数値であるか比較して、比較が真（true）である場合、前記コンピュータに、前記ワイヤレスマン・マシンインターフェース装置が正常であるという情報を出力させる工程と、
からなり、これにより、前記ワイヤレスマン・マシンインターフェース装置のユーザーは、最初に装着を完了する時、前記コンピュータが前記工程（D）で出力する情報により、前記ワイヤレスマン・マシンインターフェース装置が正常に装着を完了したことを確認することが出来ることを特徴とする方法。
【請求項２】
前記工程（D）で出力される情報は、表示画面であることを特徴とする請求項１に記載の方法。
【請求項３】
前記ワイヤレス出力装置は、ワイヤレスマウス出力装置、ワイヤレスキーボード出力装置、ワイヤレスコントローラ出力装置、ワイヤレス指標出力装置のどれかであることを特徴とする請求項１に記載の方法。
【請求項４】
前記ワイヤレス受信装置は、ワイヤレスマウス受信装置、ワイヤレスキーボード受信装置、ワイヤレスコントローラ受信装置、ワイヤレス指標受信装置のどれかであることを特徴とする請求項１に記載の方法。
【請求項５】
前記工程（D）で、前記ワイヤレスマン・マシンインターフェース装置が正常に起動している情報を出力した後、更に、
（E）前記コンピュータがプログラムコードにより、ユーザーに、前記所定識別子の数値が異なる新しい識別子に交換するように指導し、新しい識別子は、前記ワイヤレスマン・マシンインターフェース出力装置のマイクロコントローラにより、自動的に生成し、及び前記ワイヤレスマン・マシンインターフェース受信装置のメモリは、前記新しい識別子を保存し、これにより、同一の数値である識別子を使用することにより生じる、前記データパッケージの前記ワイヤレスマン・マシンインターフェース受信装置の受信干渉を防止する工程を含むことを特徴とする請求項１に記載の方法。
【請求項６】
前記方法は更に、
（E）前記コンピュータがプログラムコードを実行することにより、前記ワイヤレスマン・マシンインターフェース受信装置のメモリに、前記所定識別子を保存させる工程を含むことを特徴とする請求項１に記載の方法。
【請求項７】
ワイヤレスマン・マシンインターフェース入力システムであって、
少なくとも一つの、所定識別子を保存するのに用いられる不揮発性メモリを備え、所定識別子を、予め、未使用のそれに保存し、コンピュータと電気的に接続されるワイヤレスマン・マシンインターフェース受信装置と、
少なくとも一つの、自動的に前記所定識別子を生成するマイクロコントローラを備え、最初に装着使用される時、前記ワイヤレスマン・マシンインターフェース受信装置に、少なくとも前記所定識別子を含むデータパッケージを出力するワイヤレスマン・マシンインターフェース出力装置と、
前記ワイヤレスマン・マシンインターフェース受信装置が正常に受信しているかを検出し、正常に受信していることが検出される状況下で、前記コンピュータにより実行され、前記ワイヤレスマン・マシンインターフェース受信装置のメモリを読み取り、読み取ったデータ数値が、前記所定識別子と相同の数値であるか比較して、比較が真（true）である場合、前記コンピュータに、前記ワイヤレスマン・マシンインターフェース装置が正常であるという情報を出力させるプログラムコードと、
からなり、これにより、前記ワイヤレスマン・マシンインターフェース受信装置と前記ワイヤレスマン・マシンインターフェース出力装置のユーザーは、最初に装着を完了する時、前記コンピュータが出力する情報により、前記ワイヤレスマン・マシンインターフェース装置が正常に装着を完了したことを確認することが出来ることを特徴とするシステム。
【請求項８】
前記出力される情報は、表示画面であることを特徴とする請求項７に記載のシステム。
【請求項９】
前記ワイヤレス出力装置は、ワイヤレスマウス出力装置、ワイヤレスキーボード出力装置、ワイヤレスコントローラ出力装置、ワイヤレス指標出力装置のどれかであることを特徴とする請求項７に記載のシステム。
【請求項１０】
前記ワイヤレス受信装置は、ワイヤレスマウス受信装置、ワイヤレスキーボード受信装置、ワイヤレスコントローラ受信装置、ワイヤレス指標受信装置のどれかであることを特徴とする請求項７に記載のシステム。
【請求項１１】
前記プログラムコードは、前記ユーザーに、前記所定識別子の数値が異なる新しい識別子に交換するように指導し、前記新しい識別子は、前記ワイヤレスマン・マシンインターフェース出力装置のマイクロコントローラにより、自動的に生成し、及び前記ワイヤレスマン・マシンインターフェース受信装置のメモリは、前記新しい識別子を保存し、これにより、同一の数値である識別子を使用することにより生じる、前記データパッケージの前記ワイヤレスマン・マシンインターフェース受信装置の受信干渉を防止することを特徴とする請求項７に記載のシステム。
【請求項１２】
前記プログラムコードは、前記ワイヤレスマン・マシンインターフェース受信装置のメモリに、前記所定識別子を保存させることを特徴とする請求項７に記載のシステム。
【請求項１３】
前記プログラムコードは駆動プログラムであることを特徴とする請求項７に記載のシステム。
【請求項１４】
ワイヤレスマン・マシンインターフェース受信装置であって、
少なくとも一つの、所定識別子を保存するのに用いられる不揮発性メモリを備え、所定識別子を、予め、未使用のそれに保存し、コンピュータと電気的に接続されるワイヤレスマン・マシンインターフェース受信装置と、
少なくとも一つの、自動的に前記所定識別子を生成するマイクロコントローラを備え、最初に装着使用される時、前記ワイヤレスマン・マシンインターフェース受信装置に、少なくとも前記所定識別子を含むデータパッケージを出力するワイヤレスマン・マシンインターフェース出力装置と、
からなることを特徴とするシステム。
【請求項１５】
前記出力される情報は、表示画面であることを特徴とする請求項１４に記載のシステム。
【請求項１６】
前記ワイヤレス出力装置は、ワイヤレスマウス出力装置、ワイヤレスキーボード出力装置、ワイヤレスコントローラ出力装置、ワイヤレス指標出力装置のどれかであることを特徴とする請求項１４に記載のシステム。
【請求項１７】
前記ワイヤレス受信装置は、ワイヤレスマウス受信装置、ワイヤレスキーボード受信装置、ワイヤレスコントローラ受信装置、ワイヤレス指標受信装置のどれかであることを特徴とする請求項１４に記載のシステム。
【発明の詳細な説明】
【技術分野】
【０００１】
本発明は、データ干渉問題を回避する、ワイヤレスマン・マシンインターフェース装置に用いられる識別子（identifier）の構成方法に関するものであって、データを出力するワイヤレスマン・マシンインターフェース出力装置が、メモリ素子がない設計下でも、データ干渉の問題を回避することが出来ると同時に、ワイヤレスマン・マシンインターフェース装置が最初に装着される時、ワイヤレスマン・マシンインターフェース装置の識別子の数値が異なることにより生じる装着の失敗を防止する。
【背景技術】
【０００２】
米国特許第５８５４６２１号「ワイヤレスマウス（wireless mouse）」で、周辺装置の置き換え動作を表示する信号を受信するコミュニケーションシステム（communication system for receiving signals representing displacement action of a peripheral device）を開示しており、該コミュニケーションシステムは、第一周辺装置、及び、受信ユニット（receiving  unit）を備え、該第一周辺装置は、第一不揮発性メモリ装置（nonvolatile  memory  device）を備えて、第一識別子を保存しなければならない。受信ユニットは第二不揮発性メモリ装置を備えて、第一識別子及びその他の許可された周辺装置の識別子を保存する。米国特許第５８５４６２１号は、周辺装置と受信ユニット間のデータ伝送及び受信の干渉問題を解決することが出来るが、データを出力する周辺装置は、不揮発性メモリ装置を使用して、永久に識別子を保存しなければならず、不揮発性メモリ装置素子の使用は、コスト増加を招くという欠点が存在する。
【特許文献１】米国特許第５８５４６２１号明細書
【発明の開示】
【発明が解決しようとする課題】
【０００３】
上述の問題を解決するため、本発明はワイヤレスマン・マシンインターフェース装置に用いられる識別子の構成方法、及びワイヤレスマン・マシンインターフェース入力システムを提供し、データを出力する周辺装置が、メモリ装置を備えない構成でも、データ干渉の問題を回避することができると同時に、ワイヤレスマン・マシンインターフェース装置が最初に装着される時、ワイヤレスマン・マシンインターフェース装置の識別子の数値が異なることにより生じる装着の失敗を防止する。
本発明は、ワイヤレスマン・マシンインターフェース装置に用いられる識別子の構成方法を提供することを目的とし、データを出力するワイヤレスマン・マシンインターフェース出力装置が、メモリ装置素子を備えない構成下でも、データ干渉の問題を回避することができ、メモリ装置素子は、主に、データ干渉を回避するための数値データを保存するのに用いられる。
本発明は、ワイヤレスマン・マシンインターフェース装置に用いられる識別子の構成方法を提供し、最初に装着される時、ワイヤレスマン・マシンインターフェース装置の識別子の数値が異なることにより生じる装着の失敗を防止し、コンピュータ上で情報を出力することにより、ワイヤレスマン・マシンインターフェース装置が正常に装着されたかどうかを示すことをもう一つの目的とする。
【課題を解決するための手段】
【０００４】
上述の目的を達成するため、本発明は、ワイヤレスマン・マシンインターフェース装置に用いられる識別子の構成方法を提供し、ワイヤレスマン・マシンインターフェース出力装置及びワイヤレスマン・マシンインターフェース受信装置により構成されるワイヤレスマン・マシンインターフェース装置を適用し、ワイヤレスマン・マシンインターフェース受信装置はコンピュータに電気的に接続され、本発明の方法は、最初に、ワイヤレスマン・マシンインターフェース装置をコンピュータに装着するのに応用され、以下の工程からなる。
（A）所定識別子を、予め、未使用のワイヤレスマン・マシンインターフェース受信装置に保存し、ワイヤレスマン・マシンインターフェース受信装置は、少なくとも一つの、所定識別子を保存するのに用いられる不揮発性メモリを備える。
（B）ワイヤレスマン・マシンインターフェース出力装置が、最初に装着使用される時、ワイヤレスマン・マシンインターフェース出力装置は、ワイヤレスマン・マシンインターフェース受信装置に、少なくとも所定識別子を含むデータパッケージを出力し、所定識別子はワイヤレスマン・マシンインターフェース出力装置のマイクロコントローラから自動的に生成される。
（C）ワイヤレスマン・マシンインターフェース受信装置は、工程（B）のデータパッケージを受信する。
（D）コンピュータはプログラムコードを実行して、工程（C）のワイヤレスマン・マシンインターフェース受信装置が正常に受信しているかを検出する。また、工程（C）で正常に受信していることが検出される状況下で、コンピュータはプログラムコードを実行して、ワイヤレスマン・マシンインターフェース受信装置のメモリを読み取り、読み取ったデータ数値が所定識別子と相同の数値であるか比較して、比較が真（true）である場合、コンピュータに、ワイヤレスマン・マシンインターフェース装置が正常であるという情報を出力させる。これにより、ワイヤレスマン・マシンインターフェース装置のユーザーは、最初に装着を完了する時、コンピュータが工程（D）で出力する情報により、ワイヤレスマン・マシンインターフェース装置が正常に装着を完了したことを確認することが出来る。
更に、上述の目的を達成するため、本発明は、ワイヤレスマン・マシンインターフェース入力システムを提供し、少なくとも一つの、所定識別子を保存するのに用いられる不揮発性メモリを備え、所定識別子を、予め、未使用のそれに保存し、コンピュータと電気的に接続されるワイヤレスマン・マシンインターフェース受信装置と、少なくとも一つの、自動的に所定識別子を生成するマイクロコントローラを備え、最初に装着使用される時、ワイヤレスマン・マシンインターフェース受信装置に、少なくとも所定識別子を含むデータパッケージを出力するワイヤレスマン・マシンインターフェース出力装置と、ワイヤレスマン・マシンインターフェース受信装置が正常に受信しているかを検出し、正常に受信していることが検出される状況下で、コンピュータにより実行され、ワイヤレスマン・マシンインターフェース受信装置のメモリを読み取り、読み取ったデータ数値が所定識別子と相同の数値であるか比較して、比較が真（true）である場合、コンピュータに、ワイヤレスマン・マシンインターフェース装置が正常であるという情報を出力させるプログラムコードと、からなり、これにより、ワイヤレスマン・マシンインターフェース受信装置とワイヤレスマン・マシンインターフェース出力装置のユーザーは、最初に装着を完了する時、コンピュータが出力する情報により、ワイヤレスマン・マシンインターフェース装置が正常に装着を完了したことを確認することが出来る。
【発明の効果】
【０００５】
データを出力する周辺装置が、メモリ装置を備えない構成下でも、データ干渉の問題を回避することができると同時に、ワイヤレスマン・マシンインターフェース装置が最初に装着される時、ワイヤレスマン・マシンインターフェース装置の識別子の数値が異なることにより生じる装着の失敗を防止する。
【発明を実施するための最良の形態】
【０００６】
図１は、本発明によるワイヤレスマウス出力装置の構成図である。図２は、本発明によるワイヤレスキーボード出力装置の構成図である。図３は、本発明によるワイヤレスマウスとワイヤレスキーボード共用の受信装置の構成図である。本発明のワイヤレスマン・マシンインターフェース装置は、主に、ワイヤレスマン・マシンインターフェース出力装置１０、２０及びワイヤレスマン・マシンインターフェース受信装置３０からなり、ワイヤレスマン・マシンインターフェース出力装置１０、２０の具体例は、図１のワイヤレスマウス出力装置１０、図２のワイヤレスキーボード２０である。ワイヤレスマン・マシンインターフェース受信装置３０の具体例は、図３のワイヤレスマウスとワイヤレスキーボード共用の受信装置３０である。
本発明による方法のワイヤレスマン・マシンインターフェース出力装置１０、２０の主な特色は、識別子を保存するメモリが必要なく、ワイヤレスマン・マシンインターフェース出力装置１０、２０の識別子は、マイクロコントローラ１０１、２０１により自動的に生成されることである。これにより、ワイヤレスマン・マシンインターフェース出力装置１０、２０はメモリ素子を省略でき、ワイヤレスマン・マシンインターフェース出力装置１０、２０の製造コストを抑制することが出来る。本発明によるワイヤレスマン・マシンインターフェース受信装置３０の特色は、識別子の設定方法にあり、本発明のワイヤレスマン・マシンインターフェース受信装置３０は、予め、所定識別子を不揮発性メモリ３０１に保存し、例えば、メーカーはワイヤレスマン・マシンインターフェース受信装置３０を出荷する前、例えば、数値５５の所定識別子を、メモリ３０１内に保存する。
【０００７】
ワイヤレスマン・マシンインターフェース出力装置１０、２０は、例えば、ワイヤレスの方式で、ワイヤレスマン・マシンインターフェース受信装置３０にデータパッケージを出力し、出力されたデータパッケージ内には、識別子が含まれている。この識別子は、データパッケージ伝送識別の用途で、識別子の利用を補助し、ワイヤレスマン・マシンインターフェース出力装置１０、２０が、ワイヤレスマン・マシンインターフェース受信装置３０と合わせて使用され、特定の一組のワイヤレスマン・マシンインターフェース出力装置１０、２０とワイヤレスマン・マシンインターフェース受信装置３０となる。
ユーザーは、最初に本発明のワイヤレスマン・マシンインターフェース装置を装着使用する時、まず、図３のワイヤレスマン・マシンインターフェース受信装置３０とコンピュータを電気的に接続させ、例えば、USBインターフェース方式のUSBコネクタをUSBケーブルにより、コンピュータと電気的に接続させ、続いて、コンピュータを起動、及び、図１のワイヤレスマン・マシンインターフェース出力装置１０、或いは、図２のワイヤレスマン・マシンインターフェース受信装置２０に電池を装着する。最初に装着した後、使用するワイヤレスマン・マシンインターフェース出力装置１０、或いは、２０等のワイヤレスマン・マシンインターフェース出力装置１０、２０を起動し、ワイヤレスマン・マシンインターフェース出力装置１０、２０のマイクロコントローラ１０１、２０１は、ワイヤレスマン・マシンインターフェース受信装置が予め保存する識別子数値と相同の識別子を生成し、例えば、マイクロコントローラ１０１、２０１は、数値が５５の識別子を生成し、その後、ワイヤレスマン・マシンインターフェース出力装置１０、２０は、ワイヤレスマン・マシンインターフェース受信装置３０にデータパッケージを出力する。続いて、コンピュータはプログラムコードを実行し、実行されるプログラムコードの具体例は、ワイヤレスマン・マシンインターフェース装置の駆動プログラムで、プログラムコードは主に、ワイヤレスマン・マシンインターフェース受信装置３０が正常に受信しているかを検出し、ワイヤレスマン・マシンインターフェース受信装置３０のメモリ３０１を読み取り、その後、読み取ったデータ数値が所定識別子と相同の数値であるか比較して、比較が真（true）である場合、コンピュータに、ワイヤレスマン・マシンインターフェース装置が正常であるという情報を出力させる。
【０００８】
図４は、本発明による方法のフローチャートである。工程（４１）は、所定識別子を、予め、未使用のワイヤレスマン・マシンインターフェース受信装置３０の不揮発性メモリ３０１に保存する。上述の説明のように、工程（４１）は、ワイヤレスマン・マシンインターフェース受信装置３０を出荷する前、例えば、数値５５の所定識別子を、メモリ３０１内に保存する。工程（４３）は、ワイヤレスマン・マシンインターフェース出力装置１０、２０が最初に装着使用される時、ワイヤレスマン・マシンインターフェース出力装置１０、２０は、ワイヤレスマン・マシンインターフェース受信装置３０に、少なくとも所定識別子と相同の数値である識別子を含むデータパッケージを出力し、識別子は、ワイヤレス人間出力装置１０、２０のマイクロコントローラ１０１、２０１により自動的に生成される。上述の説明のように、工程（４３）は、ワイヤレスマン・マシンインターフェース出力装置１０、２０が最初に電池を装着する時、マイクロコントローラ１０１、２０１は、数値５５の識別子を自動的に生成し、その後、ワイヤレスマン・マシンインターフェース出力装置１０、２０はワイヤレスマン・マシンインターフェース受信装置３０に、数値が５５である識別子数値を含むデータパッケージを出力する。工程（４５）は、ワイヤレスマン・マシンインターフェース受信装置が工程（４３）のデータパッケージを受信し、最初にワイヤレスマン・マシンインターフェース受信装置３０が保存する識別子は所定識別子、例えば、数値５５であるので、ワイヤレスマン・マシンインターフェース受信装置３０は、工程（４３）の数値５５を含むデータパッケージを円滑に受信することが出来る。工程（４７）は、プログラムコードを実行して、工程（４５）のワイヤレスマン・マシンインターフェース受信装置３０が正常に受信しているかを検出する。また、工程（４５）で正常に受信していることが検出される状況下で、コンピュータによりプログラムコードを実行して、ワイヤレスマン・マシンインターフェース受信装置３０のメモリ３０１を読み取り、読み取ったデータ数値が所定識別子と相同の数値であるか比較して、比較が真（true）である場合、コンピュータに、ワイヤレスマン・マシンインターフェース装置が正常であるという情報を出力させる。工程（４７）は、コンピュータにより、ワイヤレスマン・マシンインターフェース装置の駆動プログラムを実行し、コンピュータにより、ワイヤレスマン・マシンインターフェース受信装置３０が伝送するデータパッケージが正確かどうかを検出し、ワイヤレスマン・マシンインターフェース受信装置３０が正常に受信できるかを判断して、正常に受信できると判断した場合、コンピュータのディスプレイはワイヤレスマン・マシンインターフェース装置が正常に起動している情報を表示し、例えば、文字情報６１を表示して、ユーザーに、ワイヤレスマン・マシンインターフェース装置が装着に成功し、正常に機能していることを通知する。図６は、本発明による、プログラムコードがディスプレイ上で、ワイヤレスマン・マシンインターフェース装置が正常に起動していることを示す情報を出力することを示す図である。
【０００９】
本発明の方法は、上述の工程（４７）で、ワイヤレスマン・マシンインターフェース装置が正常に起動している情報を出力した後、更に、工程（４９）を含み、コンピュータがプログラムコードにより、ユーザーに、所定識別子の数値が異なる新しい識別子に交換するように指導し、新しい識別子は、ワイヤレスマン・マシンインターフェース出力装置１０、２０のマイクロコントローラ１０１、２０１により、自動的に生成し、及びワイヤレスマン・マシンインターフェース受信装置３０のメモリ３０１は新しい識別子を保存する。工程（４９）は、コンピュータが駆動プログラムを実行することにより、ダイアログボックスの画面を表示して、ユーザーと相互に作用し、ユーザーがダイアログボックスの指示内容に従って、新しい識別子に交換する。新しい識別子に交換した後、コンピュータは、新しい識別子をディスプレイに表示することが出来る。新しい識別子は交換することが出来るため、ユーザーが同一の数値である識別子を使用することによる、データパッケージがワイヤレスマン・マシンインターフェース受信装置３０での受信干渉を防止し、多数の者が同一の状況で、同一の数値の識別子を使用することによる、データパッケージがワイヤレスマン・マシンインターフェース受信装置３０で受信干渉するのを防止する。
図５は、本発明による、ワイヤレスマン・マシンインターフェース受信装置を所定識別子に設定するもう一つのフローチャートである。本発明の方法は、更に、工程（５１）を含み、コンピュータがプログラムコードを実行することにより、ワイヤレスマン・マシンインターフェース受信装置３０のメモリ３０１は、所定識別子を保存する。工程（５１）の主な功能は、ユーザーが、自身で、プログラムコードを実行して、例えば、数値が５５である所定識別子を強制的にメモリ３０１に保存し、工程（５１）を実現するプログラムコードは、上述の駆動プログラム内に含まれる。
本発明の方法は、データパッケージを出力するワイヤレスマン・マシンインターフェース出力装置１０、２０に、メモリ素子の使用を省略させることが出来、ワイヤレスマン・マシンインターフェース出力装置１０、２０の製造コストを抑制することができる。また、所定識別子はワイヤレスマン・マシンインターフェース受信装置３０が出荷される前、所定識別子を、メモリ３０１内に保存するため、ユーザーが、最初に装着する時に、円滑に、本発明のワイヤレスマン・マシンインターフェース装置を装着使用することが出来、出力の情報により、ユーザーは、ワイヤレスマン・マシンインターフェース装置が装着されたかどうかを知ることが出来る。更に、本発明は、ワイヤレスマン・マシンインターフェース出力装置１０、２０とワイヤレスマン・マシンインターフェース受信装置３０が最初に装着される時、ワイヤレスマン・マシンインターフェース出力装置１０、２０の識別子数値とワイヤレスマン・マシンインターフェース受信装置３０の識別子数値が異なることにより生じる装着失敗を防止することが出来る。
本発明のワイヤレスマン・マシンインターフェース入力装置は、具体例におけるワイヤレスマウス出力装置１０、ワイヤレスキーボード出力装置２０、及び、ワイヤレスマン・マシンインターフェース受信装置３０である以外に、ワイヤレスコントローラ出力装置、ワイヤレスコントローラ受信装置、或いは、その他のワイヤレス指標出力装置、ワイヤレス指標受信装置などである。
本発明では好ましい実施例を前述の通り開示したが、これらは決して本発明に限定するものではなく、当該技術を熟知する者なら誰でも、本発明の精神と領域を脱しない範囲内で各種の変動や潤色を加えることができ、従って本発明明の保護範囲は、特許請求の範囲で指定した内容を基準とする。
【図面の簡単な説明】
【００１０】
【図１】本発明によるワイヤレスマウス出力装置の構造図である。
【図２】本発明によるワイヤレスキーボード出力装置の構造図である。
【図３】本発明によるワイヤレスマウスとワイヤレスキーボード共用の受信装置の構造図である。
【図４】本発明による方法のフローチャートである。
【図５】本発明による、ワイヤレスマン・マシンインターフェース受信装置を所定識別子に設定するもう一つのフローチャートである。
【図６】本発明による、プログラムコードがディスプレイ上で、ワイヤレスマン・マシンインターフェース装置が正常に起動していることを示す情報を出力することを示す図である。
【符号の説明】
【００１１】
１０…ワイヤレスマウス出力装置
２０…ワイヤレスキーボード出力装置
３０…ワイヤレスマン・マシンインターフェース受信装置
６１…文字情報
１０１、２０１…マイクロコントローラ
３０１…メモリ
【図１】
2005165675.tif 000003
【図２】
2005165675.tif 000004
【図３】
2005165675.tif 000005
【図４】
2005165675.tif 000006
【図５】
2005165675.tif 000007
【図６】
2005165675.tif 000008